(57)【要約】【課題】偏向部を容易に取り替えることが可能な波長選択スイッチ及び波長選択スイッチ用光学ユニットを提供する。【解決手段】本発明に係る波長選択スイッチ用光学ユニット１２５は、少なくとも一つの入力ポート１０９と、該入力ポート１０９から入力された入力光を波長分散させる分散部１１３と、該分散部１１３により分散される光を集光する集光素子１１５と、少なくとも一つの出力ポート１１０と、入力ポート１０９、分散部１１３、集光素子１１５及び出力ポート１１０を密閉する筐体１０１とを備え、筐体１０１は、集光素子１１５により集光された光が入射する位置に光学的に透明な透明部が形成されている。【選択図】図２
2012168287.tif 000002
【特許請求の範囲】
【請求項１】
少なくとも一つの入力ポートと、
該入力ポートから入力された入力光を波長分散させる分散部と、
該分散部により分散される光を集光する集光素子と、
少なくとも一つの出力ポートと、
前記入力ポート、前記分散部、前記集光素子及び前記出力ポートを密閉する筐体と
を備え、
前記筐体は、前記集光素子により集光された光が入射する位置に光学的に透明な透明部が形成されている波長選択スイッチ用光学ユニット。
【請求項２】
前記透明部は、前記集光素子からの光束に対して傾いている請求項１に記載の波長選択スイッチ用光学ユニット。
【請求項３】
前記透明部は、前記筐体に形成された封止窓である請求項１または２に記載の波長選択スイッチ用光学ユニット。
【請求項４】
前記透明部は、前記筐体に形成されたプレートであり、
前記入力ポート、前記分散部、前記集光素子及び前記出力ポートは、前記プレート上に配置されている請求項１または２に記載の波長選択スイッチ用光学ユニット。
【請求項５】
前記プレートは、石英からなる請求項４に記載の波長選択スイッチ用光学ユニット。
【請求項６】
前記筐体の外側に設けられ、光を偏向する偏向部を取り付けるための取付部材を備える請求項１から５に記載の波長選択スイッチ用光学ユニット。
【請求項７】
請求項１から５に記載の波長選択スイッチ用光学ユニットと、
前記筐体の外側に取り付けられ、前記集光素子により集光される光を前記集光素子に向けて偏向する偏向部と、
を備えた波長選択スイッチ。
【請求項８】
請求項６に記載の波長選択スイッチ用光学ユニットと、
前記偏向部と、を備え
前記偏向部は、前記筐体の外側に取り付けられ、前記集光素子により集光される光を前記集光素子に向けて偏向する波長選択スイッチ。
【請求項９】
前記偏向部は、光束が通過する部位が透明部材で構成されたパッケージに、光偏向機能を有した素子がマウントされて構成され、前記筐体の前記透明部に前記パッケージの透明部材が取り付けられている請求項７または請求項８に記載の波長選択スイッチ。
【請求項１０】
前記筐体の前記透明部と前記偏向部の透明部材とは、使用波長において光学的に透明な接着剤で取り付けられている請求項９に記載の波長選択スイッチ。
【請求項１１】
前記偏向部は、前記筐体にねじ止めされている請求項７から１０に記載波長選択スイッチ。
【発明の詳細な説明】
【技術分野】
【０００１】
本発明は、波長選択スイッチ及び波長選択スイッチ用光学ユニットに関するものである。
【背景技術】
【０００２】
近年、サービスエリアの広がりを見せる光ファイバネットワークでは、大量のデータ通信を可能とするため、ＷＤＭ（Wavelength Division Multiplexing：波長分割多重）技術が用いられ、それぞれの光ファイバには波長多重された光が伝送されている。このような光信号を分岐または結合するための光スイッチにおいては、多重された波長ごとにスイッチングが行える波長選択スイッチが必要となる。
【０００３】
波長選択スイッチは、光信号を入力するための入力ポート、入力ポートにより出射された光束をコリメートするコリメータレンズ、そのコリメート光を波長分散させる分散部（回折格子）、分散された光束を集光する集光レンズ、分散・集光されたそれぞれの波長の光束を任意の出力ポートに入射するようにそれぞれの光束の進路方向を変更する偏向部などを備えるものである。また、上記の例とは逆に複数の光信号を入力する入力ポートからの信号光を多重されたそれぞれの波長に分散させ、選択的にひとつの出力ポートへと結合するような波長選択スイッチも必要となる。
【０００４】
それらの波長選択スイッチは、高い信頼性を求められる光通信網の主要デバイスであり長期間に亘り安定に動作することが要求されるため、従来、波長選択スイッチの構成部品は、筐体に組み込まれ、ハーメチックシール（気密封止）されることが提案されている（例えば、特許文献１）。
【先行技術文献】
【特許文献】
【０００５】
【特許文献１】特開２００９−１４５８８７号公報
【発明の概要】
【発明が解決しようとする課題】
【０００６】
しかし、波長選択スイッチの構成部品が全て一つの筐体で封止された場合、各構成部品の寿命はそれぞれ異なるにも関わらず、いずれか１つでも故障すると、筐体単位で取り替えなければならない。構成部品の中では、唯一の可動部である偏向部は、他の構成部品に比べ故障する可能性が高い。そのため、波長選択スイッチに故障が生じる場合の多くの原因は偏向部起因の可能性が高く、そのような場合には偏向部を取替え、修理を行うことが考えられる。しかしながら、偏向部が気密封止筐体に入っている場合、もしくは偏向部が気密封止筐体の一部となっている場合には、偏向部を取り外すと光学系の気密封止が開放されてしまい、光学部品へのゴミ付着、湿気にさらされる等の問題が生じるため、偏向部の取り外し、交換は困難であり、したがって、故障した波長選択スイッチは筐体単位で交換することになる。非常にクリーン度が高く、湿気がコントロールされた部屋で偏向部を交換することも考えられるが、偏向部取り外しで発生するゴミ、埃を光学系に付着させることなく作業を行うことは非常に困難である。
【０００７】
従って、上記のような従来技術の問題点に鑑みてなされた本発明の目的は、偏向部を容易に取り替えることが可能な波長選択スイッチ及び波長選択スイッチ用光学ユニットを提供することにある。
【課題を解決するための手段】
【０００８】
上述した諸課題を解決すべく、第１の観点による波長選択スイッチ用光学ユニットは、
少なくとも一つの入力ポートと、
該入力ポートから入力された入力光を波長分散させる分散部と、
該分散部により分散される光を集光する集光素子と、
少なくとも一つの出力ポートと、
前記入力ポート、前記分散部、前記集光素子及び前記出力ポートを密閉する筐体と
を備え、
前記筐体は、前記集光素子により集光された光が入射する位置に光学的に透明な透明部が形成されている波長選択スイッチ用光学ユニットである。
【０００９】
また、前記透明部は、前記集光素子からの光束に対して傾いていることが好ましい。
【００１０】
また、前記透明部は、前記筐体に形成された封止窓であることが好ましい。
【００１１】
また、前記透明部は、前記筐体に形成されたプレートであり、前記入力ポート、前記分散部、前記集光素子及び前記出力ポートは、前記プレート上に配置されていることが好ましい。
【００１２】
また、前記プレートは、石英からなることが好ましい。
【００１３】
また、前記波長選択スイッチ用光学ユニットは、前記筐体の外側に設けられ、光を偏向する偏向部を取り付けるための取付部材を備えることが好ましい。
【００１４】
また、第２の観点による波長選択スイッチは、
前記波長選択スイッチ用光学ユニットと、
前記筐体の外側に取り付けられ、前記集光素子により集光される光を前記集光素子に向けて偏向する偏向部と、
を備えた波長選択スイッチである。
【００１５】
また、第３の観点による波長選択スイッチは、
筐体の外側に設けられ、光を偏向する偏向部を取り付けるための取付部材を備える前記波長選択スイッチ用光学ユニットと、
前記偏向部と、を備え
前記偏向部は、前記筐体の外側に取り付けられ、前記集光素子により集光される光を前記集光素子に向けて偏向する波長選択スイッチである。
【００１６】
また、前記偏向部は、光束が通過する部位が透明部材で構成されたパッケージに、光偏向機能を有した素子がマウントされて構成され、前記筐体の前記透明部に前記パッケージの透明部材が取り付けられていることが好ましい。
【００１７】
また、前記筐体の前記透明部と前記偏向部の透明部材とは、使用波長において光学的に透明な接着剤で取り付けられていることが好ましい。
【００１８】
また、前記偏向部は、前記筐体にねじ止めされていることが好ましい。
【発明の効果】
【００１９】
上記のように構成された本発明にかかる波長選択スイッチ及び波長選択スイッチ用光学ユニットによれば、偏向部は筐体の外側に取り付けられている。これにより、使用者は、光学部材の気密封止を保ったまま偏向部を容易に取り替えることができる。
【図面の簡単な説明】
【００２０】
【図１】図１は、本発明の第１の実施形態に係る概略的な波長選択スイッチの構成図である。
【図２】図２は、図１に示される波長選択スイッチの波長選択スイッチ用光学ユニットの構成図である。
【図３】図３は、図１に示される波長選択スイッチの変形例である。
【図４】図４は、図１に示される波長選択スイッチの変形例である。
【図５】図５は、本発明の第２の実施形態に係る概略的な波長選択スイッチの構成図である。
【図６】図６は、図５に示される波長選択スイッチの波長選択スイッチ用光学ユニットの構成図である。
【図７】図７は、図５に示される波長選択スイッチの変形例である。
【発明を実施するための形態】
【００２１】
以下、本発明の実施の形態について、図面を参照して説明する。
【００２２】
（第１の実施形態）
図１は、本発明の第１の実施形態に係る概略的な波長選択スイッチの構成図である。本実施形態の波長選択スイッチ１１は、筐体１０１と、筐体１０１内に組み立てられた光学系１０３と、筐体１０１の外側に着脱可能に取り付けられた偏向部１０５とを有すものである。
【００２３】
筐体１０１は、偏向部１０５の取付部分に設けられた光学的に透明な封止窓１０７を有し、密閉構造になっている。封止窓１０７は、光学面１２７を有する。また、封止窓１０７は、例えば、ガラスで構成され、筐体１０１の封止窓１０７以外の部分は、例えば、金属で構成されている。そして、筐体１０１全体は、例えば、ハーメチックシールされ、優れた気密性が実現されている。
【００２４】
光学系１０３は、少なくとも１つの入力ポート１０９と、少なくとも１つの出力ポート１１０と、マイクロレンズアレイ１１１と、分散部１１３と、集光素子１１５と、ミラー１１７とを有する。光学系１０３の構成要素は、プレート１１９上に取り付けられるものであり、プレート１１９は、例えば、金属や石英からなるものである。プレート１１９は高温、低温中での光学部品の相対的な位置ずれを抑制することができる線膨張の小さな材質から構成されるとなお良い。なお、図１において、入力ポート１０９および出力ポート１１０を含む３つのポートが図示されているが、ポートの個数は３つに限定されない。
【００２５】
入力ポート１０９は、波長多重された光を波長選択スイッチ１１に入力するためのものである。また、出力ポート１１０は、入力ポート１０９から入射した光が、波長毎に経路が切り替えられた後、信号光として出射させるためのものである。入力ポート１０９及び出力ポート１１０は、光ファイバ又は光導波路などにより形成されるものである。そして、本願においては、当該光ファイバ又は光導波路の先端近傍を、特に、入力ポート１０９または出力ポート１１０として説明する。少なくとも１つの入力ポート１０９と少なくとも１つの出力ポート１１０とを組み合わせて、ポートアレイを形成することができ、組み合わせ方により、単ポートの入力ポート及び多ポートの出力ポートを有するポートアレイ、多ポートの入力ポート及び単ポートの出力ポートを有するポートアレイ及び多ポートの入力ポート及び多ポートの出力ポートを有するポートアレイを実現することができる。なお、図１では、光ファイバ又は光導波路のうち、先端近傍である入力ポート１０９または出力ポート１１０のみを図示している。実際には、図示された入力ポート１０９および出力ポート１１０からは、それぞれ光ファイバ又は光導波路が延出している。そして、当該光ファイバ又は光導波路は、ファイバアレイ、光導波路として、筐体１０１の外部に延出される。ここで、筐体１０１に形成されたファイバアレイを通すための貫通孔と、ファイバアレイとは、隙間がない状態で、配置されている。このため、ファイバアレイが筐体外部に延びているにもかかわらず、筐体１０１内部は、密閉状態が保たれている。
【００２６】
マイクロレンズアレイ１１１は、入力ポート１０９及び出力ポート１１０と対になるマイクロレンズがアレイ状に配置されているものである。マイクロレンズアレイ１１１は、入力ポート１０９から入射された入力光を平行光束に変換するとともに、光偏向部１０５から帰ってきた光を出力ポート１１０に収束させる。
【００２７】
分散部１１３は、マイクロレンズアレイ１１１により平行にされた光を、波長毎に分散するためのものであり、例えば、透過型の分散素子（グレーティング）で構成される。なお、分散部１１３としては、リットマン−メトカルフ型の構成を有する分散素子を用いても良い。また、本実施形態では透過型の分散素子を用いたが、これに限られるものではなく、反射型回折格子、Ｇｒｉｓｍ、スーパープリズム等を用いることもできる。
【００２８】
集光素子１１５は、例えば集光レンズであり、分散部１１３により波長毎に分散された光（分散光）を、偏向部１０５上の波長毎の所定の位置に集光させる。集光素子１１５には、集光ミラー、回折形集光素子等も用いることができる。
【００２９】
ミラー１１７は、集光素子１１５からの光を反射させて、プレート１１９及び封止窓１０７を経て偏向部１０５に導くものである。そのため、プレート１１９が金属で形成されている場合は、プレート１１９には、ミラー１１７と封止窓１０７との間の光路を形成するための孔が設けられる。なお、プレート１１９が光学的に透明な部材、例えば石英で形成されている場合は、プレート１１９に光路用の孔を形成することを省略できる。なお、集光素子１１５からの光の進行方向上に偏向部１０５が設けられているため、ミラー１１７が必要になるが、本実施形態はこの態様に限定されるわけではない。集光素子１１５からの光の進行方向上に偏向部１０５が設けられている場合には、ミラー１１７を省略することができる。
【００３０】
偏向部１０５は、ミラー１１７により反射された各分散光を所定の出力ポート１１０に入射させるために、分散光の光路を偏向するものである。本実施形態では、光学系１０３からの光は、封止窓１０７を透過して偏向部１０５に入射され、偏向部１０５により向きが偏向され、再び光学系１０３に戻ることになる。つまり、光学系１０３と偏向部１０５との間の光路は、封止窓１０７を透過して形成されることになる。光学系１０３に戻った光は、ミラー１１７、集光素子１１５、分散部１１３、マイクロレンズアレイ１１１を順々に通って波長に対応する出力ポート１１０に入射されることになる。
【００３１】
偏向部１０５は、例えば、ＭＥＭＳ（Micro Electro Mechanical Systems）ミラーアレイや反射型の液晶表示パネルであるＬＯＣＳ（Liquid crystal on silicon）である。偏向部１０５がＭＥＭＳミラーアレイである場合、偏向部１０５は、波長に対応する複数のマイクロミラーがアレイ状に配置されているものである。各マイクロミラーは、ケーブル１２１からの電力供給により駆動され、これにより、ミラー自体の傾きを変え、波長毎に光の進行方向を変更する。
【００３２】
偏向部１０５は、筐体１０１の外側に取り付けられているものである。偏向部１０５は、例えば、筐体１０１に取り付けられる取付部材１２３に接着固定されたり、ねじにより固定される。この時、偏向部１０５は固定部１２３なしに直接筐体１０１に取り付けられてもかまわない。
【００３３】
このように本実施形態では、偏向部１０５は、筐体１０１の外側に取り付けられ、筐体１０１内の光学系１０３と偏向部１０５との間の光路は、光学的に透明な封止窓１０７を透過して形成されている。つまり、波長選択スイッチ１１を構成する偏向部１０５は、筐体１０１の外側に位置し、筐体１０１の気密封止を保ったままでの取り外しが可能であるため、偏向部１０５が故障した場合、光学系への湿気、埃によるダメージに考慮することなく偏向部１０５を取り替えることができる。また、偏向部１０５の取り付けを失敗したような場合にも、一度取り外し、再度調整、固定が可能となる。偏向部１０５のみの取替及び調整が可能であるため、波長選択スイッチ１１の他の構成部品を廃棄する必要がない。つまり、本実施形態における波長選択スイッチ１１は、コスト面や環境面で優れている。
【００３４】
更に、偏向部１０５はねじ止めにより取付部材１２３に固定することができるので、波長選択スイッチ１１の使用者は、容易に偏向部１０５を取り外して、取り替えることができる。
【００３５】
なお、取付部材１２３は、筐体１０１と独立していても、また、図２のように、筐体１０１に予め取り付けられ、光学系１０３を内包する筐体１０１と共に波長選択スイッチ用光学ユニット１２５を形成していてもよい。
【００３６】
また、図３に示されるように、取付部材１２３を介さずに、偏向部１０５を封止窓１０７に取り付けることもできる。偏向部１０５は、光を偏向させるためのデバイスを埃などから保護するためのカバーガラス等で封止されていることが多いので、この保護ガラスと筐体１０１を気密封止している封止窓１０７とを光学的に透明な接着剤により接合することで、筐体１０１に固定することができる。
【００３７】
なお、本実施形態において、図１を参照すると、封止窓１０７の光学面１２７は、光学系１０３からの光束に対して、垂直になるように図示されているが、本実施形態は、この態様に限定されるわけではない。例えば、光学面１２７を光学系１０３からの光束に対して傾けることもできる。光学面１２７を光学系１０３からの光束に対して垂直に配置した場合、光学面１２７での反射光は、入力ポート１０９から封止窓１０７に到る光の光路を逆に通って入力ポート１０９または出力ポート１１０に迷光として入射する可能性がある。このような場合、光信号のＳＮ比（信号雑音比）の低下やクロストークの増大を招くことになる。そこで、光学面１２７を光学系１０３からの光束に対して傾けることにより、反射光の方向を変え、反射光が入力ポート１０９や出力ポート１１０に入射することを防ぐことができる。
【００３８】
上述の実施形態では、光学系１０３をプレート１１９に固定するような構成になっていたが、これに限られるものではなく、図４のような変形例も考えられる。図４に示した構成では、光学系１０３は、筐体１０１もしくは、封止窓１０７上に固定されている。その他の構成は図１の例と同様である。このような構成にすることにより、プレート１１９を省略することができ、部品点数の削減により低コスト化が期待できる。図４では偏向部１０５を、取り付け部材１２３を介して取り付けているが、図３で示したように封止窓１０７に直接取り付けてもかまわない。
【００３９】
（第２の実施形態）
図５は、本発明の第２の実施形態に係る概略的な波長選択スイッチ構成図である。本実施形態の波長選択スイッチ２１は、筐体２０１と、筐体２０１内に組み立てられた光学系２０３と、偏向部２０５とを有するものである。光学系２０３（少なくとも１つの入力ポート２０９と、少なくとも１つの出力ポート２１０と、マイクロレンズアレイ２１１と、分散部２１３と、集光素子２１５と、ミラー２１７を含む）と偏向部２０５とは、図１の光学系１０３（少なくとも１つの入力ポート１０９と、少なくとも１つの出力ポート１１０と、マイクロレンズアレイ１１１と、分散部１１３と、集光素子１１５と、ミラー１１７とを含む）と偏向部１０５と同じ機能を有するので、説明は省略する。
【００４０】
筐体２０１は、その一部を光学的に透明なプレート２１９とするものであり、当該プレート上に組み立てられる光学系２０３を密閉するものである。プレート２１９は、例えば、石英からなるものである。
【００４１】
入力ポート２０９から入射された入力光は、マイクロレンズアレイ２１１、分散部２１３及び集光素子２１５を通り、ミラー２１７により反射される。ミラー２１７により反射された光は、プレート２１９を透過して偏向部２０５に導かれ、偏向部２０５により向きが偏向され、再びミラー２１７（光学系２０３）に戻ることになる。つまり、光学系２０３と偏向部２０５との間の光路は、プレート２１９を透過して形成されることになる。光学系２０３に戻った光は、ミラー２１７、集光素子２１５、分散部２１３、ミラーアレイ２１１、出力ポート２１０を順々に通って出力光として出射されることになる。
【００４２】
プレート２１９は、光学系２０３と偏向部２０５との間の光路が通る領域部分に、反射防止膜（図示せず）を設けることができる。これにより、プレート２１９で反射した不要光が光学系２０３のミラー２１７等を経由して入力ポート２０９、出力ポート２１０に入射する光量を軽減し、クロストーク、Ｓ／Ｎ低下の問題を防止することができる。
【００４３】
第１の実施形態と同様、偏向部２０５は、筐体２０１の外側に着脱可能に取り付けられているものである。偏向部２０５は、例えば、プレート２１９の外側に取り付けられる取付部材２２３に接着固定またはねじ止めされる。このとき、偏向部２０５は取り付け部２２３なしに直接筐体２０１に取り付けられてもかまわない。
【００４４】
このように本実施形態では、偏向部２０５は、筐体２０１の外側に取り付けられ、筐体２０１内の光学系２０３と偏向部２０５との間の光路は、光学的に透明なプレート２１９を透過して形成されている。つまり、波長選択スイッチ２１を構成する偏向部２０５は、筐体２０１の外側に位置し、筐体２０１の気密封止を保ったままでの取り外しが可能であるため、偏向部２０５が故障した場合、光学系への湿気、埃によるダメージに考慮することなく偏向部２０５を取り替えることができる。したがって偏向部２０５の取り付けを失敗したような場合にも、一度取り外し、再度調整、固定が可能となる。偏向部２０５のみの取替及び調整が可能であるため、波長選択スイッチ２１の他の構成部品を廃棄する必要がない。つまり、本実施形態における波長選択スイッチ２１は、コスト面や環境面で優れている。更に、筐体２０１内の光学系２０３と、筐体２０１外の偏向部２０５との間の光路を実現するために、光学系２０３を取り付けるためのプレート２１９が有効に使用される。よって、第１の実施形態で記載されるような透明な封止窓の設置を省くことができるので、容易に波長選択スイッチを製造することができる。さらに、プレート２１９に石英等、線膨張の小さなガラスを用いることにより、高温時、低温時の相対的な光学部品の位置ずれ抑制し、信頼性をより向上できる。
【００４５】
また、偏向部２０５はねじ止めにより取付部材２２３に固定された場合、波長選択スイッチ２１の使用者は、容易に偏向部２０５を取り外して、取り替えることができる。
【００４６】
なお、取付部材２２３は、筐体２０１と独立していても、また、図６のように、筐体２０１に予め取り付けられ、光学系２０３を含む筐体２０１と共に波長選択スイッチ用光学ユニット２２５を形成していてもよい。
【００４７】
また、図７に示されるように、取付部材２２３を介さずに、偏向部２０５をプレート２１９に取り付けることもできる。偏向部２２３は、光を偏向させるためのデバイスを埃などから保護するためのカバーガラス等で封止されていることが多いので、この保護ガラスとプレート２１９とを光学的に透明な接着剤により接合することで、プレート２１９に固定することができる。
【００４８】
なお、本実施形態において、図５を参照すると、プレート２１９の光学面２２７は、光学系２０３からの光束に対して、垂直になるように図示されているが、本実施形態は、この態様に限定されるわけではない。例えば、光学面２２７の光路通過部分を部分的に、研磨により光学系２０３からの光束に対して傾けることもできる。光学面２２７を光学系２０３からの光束に対して垂直に配置した場合、光学面２２７での反射光は、入力ポート２０９からミラー２１７に到る光の光路を逆に通って入力ポート２０９、または出力ポート２１０に迷光として入射する可能性がある。このような場合、光信号のＳＮ比（信号雑音比）の低下やクロストークの増大を招くことになる。そこで、光学面２２７を光学系２０３からの光束に対して傾けることにより、反射光の方向を変え、反射光が入力ポート２０９や出力ポート２１０に入射されることを防ぐことができる。
【００４９】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００５０】
例えば、各部材、各手段、各ステップ等に含まれる機能等は論理的に矛盾しないように再配置可能であり、複数の手段やステップ等を１つに組み合わせたり、或いは分割したりすることが可能である。
【００５１】
上述の本発明の第１及び第２の実施形態においては、光学系は、少なくとも１つの入力ポートと、少なくとも１つの出力ポートと、マイクロレンズアレイと、分散部と、集光素子と、ミラーとを有するものとして説明したが、本発明の光学系は更なる構成要素を含むことができる点に留意すべきである。例えば、光学系は、シリンドリカルレンズ、光の光路を調整する光路調整板などを有することができる。マイクロレンズアレイは、必ずしも配置しなくても構わない。また、入力ポートから入力される光束が、平行光束であるならば、必ずしも、マイクロレンズアレイ等のコリメート素子により、光束を平行にしなくても構わない。
【符号の説明】
【００５２】
１１、２１  波長選択スイッチ
１０１、２０１  筐体
１０３、２０３  光学系
１０５、２０５  偏向部
１０７  封止窓
１０９、２０９  入力ポート
１１０、２１０  出力ポート
１１１、２１１  マイクロレンズアレイ
１１３、２１３  分散部
１１５、２１５  集光素子
１１７、２１７  ミラー
１１９、２１９  プレート
１２１、２２１  ケーブル
１２３、２２３  取付部材
１２５、２２５  波長選択スイッチ用光学ユニット
１２７、２２７  光学面
【図１】
2012168287.tif 000003
【図２】
2012168287.tif 000004
【図３】
2012168287.tif 000005
【図４】
2012168287.tif 000006
【図５】
2012168287.tif 000007
【図６】
2012168287.tif 000008
【図７】
2012168287.tif 000009